【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
殺菌する物品を包むための殺菌ラップにおいて、
少なくとも１つの第１の殺菌材料のパネルと、
前記第１の殺菌材料のパネルに接着されている吸収性材料のパネルであって、殺菌する物品を上に載せるようになっており、（ａ）前記第１の殺菌材料のパネルに加えて前記物品を殺菌保護し、（ｂ）殺菌した後、前記物品から水分をはじき出す、吸収性材料のパネルと、を備えている殺菌ラップ。
【請求項２】
前記第１の殺菌材料のパネルに接着されている第２の殺菌材料のパネルを更に含んでいる、請求項１に記載の殺菌ラップ。
【請求項３】
前記第１及び第２の殺菌材料のパネルは、ぞれぞれ各周辺に４つの縁部を含んでおり、前記第１の殺菌材料のパネルの前記４つの縁部は、前記第２の殺菌材料のパネルの前記４つの縁部に接着されている、請求項２に記載の殺菌ラップ。
【請求項４】
前記吸収性材料のパネルはセルロースで作られている、請求項２に記載の殺菌ラップ。
【請求項５】
前記吸収性材料のパネルは吸収性の合成物で作られている、請求項２に記載の殺菌ラップ。
【請求項６】
前記吸収性の合成物は、親水性スパンメルトポリオレフィン、ポリエステル、ナイロン、ポリレーヨン、及びコンジュゲートファイバーから成るグループから選ばれている、請求項５に記載の殺菌ラップ。
【請求項７】
前記吸収性材料のパネルの外周は、前記第１の殺菌材料のパネルの外周より小さい、請求項２に記載の殺菌ラップ。
【請求項８】
前記吸収性材料のパネルの外周は、前記第１の殺菌材料のパネルの外周より少なくとも２５％小さい、請求項７に記載の殺菌ラップ。
【請求項９】
前記第１の殺菌材料のパネルは２つの側面を有しており、前記第１の殺菌材料のパネルの一方の側面は中央部分を有しており、前記吸収性材料のパネルは、前記第１の殺菌材料のパネルの前記中央部分に接着されている、請求項７に記載の殺菌ラップ。
【請求項１０】
前記第１及び第２の殺菌材料のパネルはＳＭＳで作られている、請求項２に記載の殺菌ラップ。
【請求項１１】
前記吸収性材料のパネルは、前記第１の殺菌材料のパネルに糊で接着されている、請求項２に記載の殺菌ラップ。
【請求項１２】
前記吸収性材料のパネルは、前記第１の殺菌材料のパネルに熱と圧力で接着されている、請求項２に記載の殺菌ラップ。
【請求項１３】
無菌領域が容易に識別できるように、前記第１の殺菌材料のパネルの色は、前記吸収性材料のパネルの色と異なっている、請求項２に記載の殺菌ラップ。
【請求項１４】
化学的視覚表示器を更に含んでおり、前記化学的視覚表示器は、殺菌剤に曝す前は１つの視覚的状態にあり、殺菌剤に曝した後は別の視覚的状態になり、前記化学的視覚表示器は、前記物品が適切な殺菌条件に曝されていたか否かを示すため、前記ラップに取り付けられている、請求項２に記載の殺菌ラップ。
【請求項１５】
前記化学的視覚表示器は、前記吸収性材料に取り付けられている、請求項１４に記載の殺菌ラップ。
【請求項１６】
前記化学的視覚表示器は、水蒸気に曝された後は色が変わる、請求項１４に記載の殺菌ラップ。
【請求項１７】
前記化学的視覚表示器は、ＩＳＯ１１１４０−１の要件を満たしている、請求項１４に記載の殺菌ラップ。
【請求項１８】
化学的視覚表示器を更に含んでおり、前記視覚表示器は、殺菌剤に曝す前は１つの視覚的状態にあり、殺菌剤に曝した後は別の視覚的状態になり、前記視覚表示器は、前記物品が適切な殺菌条件に曝されていたか否かを示すため、前記殺菌ラップに取り付けられている、請求項１に記載の殺菌ラップ。
【請求項１９】
殺菌する物品を包むための殺菌ラップにおいて、
外側周辺と中央部分を有している少なくとも１つの第１の殺菌材料のパネルと、
前記第１の殺菌材料のパネルの前記中央部分に接着されている追加の材料のパネルであって、前記追加のパネルの外周は、前記第１のパネルの外周より小さい、追加の材料のパネルと、を備えている殺菌ラップ。
【請求項２０】
前記第１の殺菌材料のパネルに接着されている第２の殺菌材料のパネルを更に含んでいる、請求項１９に記載の殺菌ラップ。
【請求項２１】
前記第２の殺菌材料のパネルは外側周辺を含んでおり、前記第１の殺菌材料のパネルの前記外側周辺は、前記第２の殺菌材料のパネルの前記外側周辺に接着されている、請求項２０に記載の殺菌ラップ。
【請求項２２】
化学的視覚表示器を更に含んでおり、前記化学的視覚表示器は、殺菌剤に曝す前は１つの視覚的状態にあり、殺菌剤に曝した後は別の視覚的状態になり、前記化学的視覚表示器は、前記物品が適切な殺菌条件に曝されていたか否かを示すために前記殺菌ラップに取り付けられている、請求項２１に記載の殺菌ラップ。
【請求項２３】
化学的視覚表示器を更に含んでおり、前記化学的視覚表示器は、殺菌剤に曝す前は１つの視覚的状態にあり、殺菌剤に曝した後は別の視覚的状態になり、前記化学的視覚表示器は、前記物品が適切な殺菌条件に曝されていたか否かを示すために前記ラップに取り付けられている、請求項１９に記載の殺菌ラップ。
【請求項２４】
前記追加のパネルに取り付けられている吸収性パネルを更に含んでいる、請求項２３に記載の殺菌ラップ。
【請求項２５】
前記化学的視覚表示器は色が変わる表示器である、請求項２２に記載の殺菌ラップ。
【請求項２６】
前記化学的視覚表示器は、ＩＳＯ１１１４０−１の要件を満たしている、請求項２２に記載の殺菌ラップ。
【請求項２７】
前記化学的視覚表示器は、前記追加のパネルに取り付けられている、請求項２２に記載の殺菌ラップ。
【請求項２８】
前記第１及び第２の殺菌材料のパネルと前記追加のパネルは、ＳＭＳで作られている、請求項２１に記載の殺菌ラップ。
【請求項２９】
前記追加のパネルの坪量は、前記第１の殺菌材料のパネルの坪量以上である、請求項２８に記載の殺菌ラップ。
【請求項３０】
前記第１のパネルの坪量は、０．７５ｏｓｙから２．９ｏｓｙ（平方メートル当たり２５グラムから９８グラム）の範囲にあり、前記吸収性パネルの坪量は、１．０ｏｓｙから３．０ｏｓｙ（平方メートル当たり３４グラムから１０２グラム）の範囲にある、請求項２９に記載の殺菌ラップ。
【請求項３１】
前記追加のパネルはＳＭＳである、請求項２１に記載の殺菌ラップ。
【請求項３２】
前記追加のパネルに取り付けられている吸収性パネルを更に含んでいる、請求項３１に記載の殺菌ラップ。
【請求項３３】
化学的視覚表示器を更に含んでおり、前記化学的視覚表示器は、殺菌剤に曝す前は１つの視覚的状態にあり、殺菌剤に曝した後は別の視覚的状態になり、前記化学的視覚表示器は、前記物品が適切な殺菌条件に曝されていたか否かを示すために前記ラップに取り付けられている、請求項３２に記載の殺菌ラップ。
【請求項３４】
前記追加のパネルに取り付けられている吸収性パネルを更に含んでいる、請求項１９に記載の殺菌ラップ。
【請求項３５】
前記吸収性パネルの外周は、前記追加のパネルの外周より小さい、請求項３２に記載の殺菌ラップ。
【請求項３６】
殺菌する物品を包むための殺菌ラップにおいて、
少なくとも１つの殺菌材料のパネルと、
前記殺菌材料のパネルに取り付けられている吸収性材料のパネルであって、前記殺菌する物品と接触するようになっており、殺菌した後で、前記物品から水分をはじき出すことができる、吸収性材料のパネルと、を備えている殺菌ラップ。
【請求項３７】
前記物品が適切な殺菌条件に曝されていたか否かを示すために、殺菌剤の存在に反応する化学的視覚表示器を更に含んでいる、請求項３６に記載の殺菌ラップ。
【請求項３８】
殺菌する物品を包むための殺菌ラップにおいて、
中央部分を有する少なくとも１つの殺菌材料のパネルと、
前記殺菌材料のパネルの前記中央部分に取り付けられているパネルであって、前記パネルの坪量は前記殺菌材料のパネルの坪量より高い、パネルと、を備えている殺菌ラップ。
【請求項３９】
前記パネルに取り付けられている吸収性材料のパネルであって、殺菌した後、前記物品から水分をはじき出すことができる、吸収性材料のパネルを更に含んでいる、請求項３８に記載の殺菌ラップ。
【請求項４０】
前記物品が適切な殺菌条件に曝されていたか否かを示すために、殺菌剤の存在に反応する化学的視覚表示器を更に含んでいる、請求項３９に記載の殺菌ラップ。
【請求項４１】
前記物品が適切な殺菌条件に曝されていたか否かを示すために、殺菌剤の存在に反応する化学的視覚表示器を更に含んでいる、請求項３８に記載の殺菌ラップ。
【請求項４２】
前記パネルは、吸収性であり、殺菌した後、前記物品から水分をはじき出すことができる、請求項３８に記載の殺菌ラップ。
【請求項４３】
前記物品が適切な殺菌条件に曝されていたか否かを示すために、殺菌剤の存在に反応する化学的視覚表示器を更に含んでいる、請求項４２に記載の殺菌ラップ。
【請求項４４】
殺菌する物品を包むための殺菌ラップにおいて、
少なくとも１つの殺菌材料のパネルと、
前記物品が適切な殺菌条件に曝されていたか否かを示すために、殺菌剤の存在に反応する化学的視覚表示器と、を備えている殺菌ラップ。
【請求項４５】
前記第１の殺菌材料のパネルに接着されている第２の殺菌材料のパネルを更に含んでいる、請求項４４に記載の殺菌ラップ。
【請求項４６】
前記化学的視覚表示器は、前記第２のパネルに取り付けられている、請求項４５に記載の殺菌ラップ。
【請求項４７】
殺菌する物品を包むための殺菌ラップにおいて、
外側周辺と中央部分を有する第１の殺菌材料のパネルと、
前記第１のパネルに接着されている追加の材料のパネルであって、相当部分は前記第１のパネルの前記中央部分に隣接しており、外周は前記第１のパネルの外周より小さい、追加のパネルと、を備えている殺菌ラップ。